(57)【要約】  お互いを知らなかった、第１端末を有する第１ユーザと第２端末を有する第２ユーザとが、対象空間にて相対する状況において、第１端末と第２端末との間で対象空間内の通信媒体を用いた通信により、第１ユーザを識別するための識別情報を第１端末から第２端末に送信する。このコミュニケーション方法により、複数のユーザの間の相互理解を深めることができる。
2020162038.tif 000002
【特許請求の範囲】
【請求項１】
お互いを知らなかった、第１端末を有する第１ユーザと第２端末を有する第２ユーザとが、対象空間にて相対する状況を得ることと、
前記状況において、前記第１端末と前記第２端末との間で前記対象空間内の通信媒体を用いた通信により、前記第１端末を有する前記第１ユーザを識別するための識別情報を前記第１端末から前記第２端末に送信することと、
を含む、コミュニケーション方法。
【請求項２】
前記識別情報を前記第１端末から前記第２端末に送信することは、前記第１端末と前記第２端末との間で人体通信を行うことにより前記識別情報を前記第１端末から前記第２端末に送信することを含む、請求項１に記載のコミュニケーション方法。
【請求項３】
前記人体通信を行うことにより前記識別情報を前記第１端末から前記第２端末に送信することは、前記第１ユーザと前記第２ユーザとが互いに直接的に接触した状態で前記人体通信を行うことにより前記識別情報を前記第１端末から前記第２端末に送信することを含む、請求項２に記載のコミュニケーション方法。
【請求項４】
前記第２端末が前記識別情報を受信した場合に、前記識別情報により特定される前記第１ユーザに関連付けられる提示情報を提示することと、前記第２端末が前記識別情報を受信していない場合に、前記提示情報を提示しないことと、
をさらに含む、請求項１〜３のいずれか１項に記載のコミュニケーション方法。
【請求項５】
前記第２端末が前記識別情報を受信した場合に、前記識別情報により特定される前記第１ユーザと、前記第２端末を有する前記第２ユーザとにそれぞれ関連付けられる提示情報を提示することと、
前記第２端末が前記識別情報を受信していない場合に、前記提示情報を提示しないことと、
をさらに含む、
請求項１〜３のいずれか１項に記載のコミュニケーション方法。
【請求項６】
前記提示情報は、前記第１ユーザと前記第２ユーザとの少なくとも一方への質問を含む、請求項４又は５に記載のコミュニケーション方法。
【請求項７】
前記第１ユーザと前記第２ユーザとが直接的に接触した状態で行われる前記人体通信により前記第１端末及び前記第２端末のうちの一方から他方に送信される情報に基づいて、前記提示情報の内容を変更することをさらに含む、請求項４〜６のいずれか１項に記載のコミュニケーション方法。
【請求項８】
前記第１ユーザと前記第２ユーザとが直接的に接触した状態で行われる人体通信により、前記第１端末及び前記第２端末のうちの一方から他方に送信される信号の信号強度に基づいて、前記提示情報を提示する態様を変更することをさらに含む、請求項４〜７のいずれか１項に記載のコミュニケーション方法。
【請求項９】
前記第１端末と前記第２端末との間の通信が行われると、前記第１ユーザと前記第２ユーザとの相性を判定することをさらに含む、請求項４〜８のいずれか１項に記載のコミュニケーション方法。
【請求項１０】
前記第１ユーザと前記第２ユーザとの前記相性を判定した結果に基づいて、前記提示情報を提示する態様を変更することをさらに含む、請求項９に記載のコミュニケーション方法。
【請求項１１】
前記第１ユーザと前記第２ユーザとが一緒に利用可能な施設と、前記第１ユーザと前記第２ユーザとが一緒に参加可能なイベントとの少なくとも一方に関する情報を提示することをさらに含む、請求項１〜１０のいずれか１項に記載のコミュニケーション方法。
【請求項１２】
前記利用可能な施設及び前記参加可能なイベントの少なくとも一方の前記情報は、前記第１ユーザ及び前記第２ユーザの少なくとも一方に関する前記提示情報に関連付けられる情報である、請求項１１に記載のコミュニケーション方法。
【請求項１３】
前記第１ユーザによる、前記第１端末を識別するための第１端末情報の入力を受け付けると、前記第１端末情報に基づいて前記第１ユーザを前記第１端末に対応付けることと、
前記第２ユーザによる、前記第２端末を識別するための第２端末情報の入力を受け付けると、前記第２端末情報に基づいて前記第２ユーザを前記第２端末に対応付けることと、
をさらに含む、請求項１〜１２のいずれか１項に記載のコミュニケーション方法。
【請求項１４】
請求項１〜１３のいずれか１項に記載のコミュニケーション方法をコンピュータシステムに実行させるためのプログラム。
【請求項１５】
請求項１〜１３のいずれか１項に記載のコミュニケーション方法をコンピュータシステムに実行させるためのプログラムを記録した、前記コンピュータシステムに読み取り可能な記録媒体。
【請求項１６】
お互いを知らなかった第１ユーザと第２ユーザとが対象空間にて相対する状況で使用される通信システムであって、
前記第１ユーザが有する第１端末と、
前記第２ユーザが有する第２端末と、
を備え、
前記第１端末と前記第２端末との間で前記対象空間内の通信媒体を用いた通信により、前記第１端末は前記第２端末に前記第１ユーザを識別するための識別情報を送信する、通信システム。
【発明の詳細な説明】
【技術分野】
【０００１】
本開示は、複数のユーザの間のコミュニケーションに用いられるコミュニケーション方法、プログラム、記録媒体、及び通信システムに関する。
【背景技術】
【０００２】
特許文献１には、歌手又はタレントの握手会等のイベントについて、イベントの盛況度を解析するシステムが記載されている。【０００３】
特許文献１に記載のシステムは、イベントの参加者の生体情報（心拍数、加速度及び声の音量等）を収集する。このシステムは、収集した参加者の生体情報に基づいて、イベントの盛況度を解析し、解析したイベントの盛況度を可視化して表示部に表示する。また、このシステムは、イベントの出演者の生体情報も収集し、収集した参加者の生体情報及び出演者の生体情報に基づいて、イベントの盛況度を解析する。
【先行技術文献】
【特許文献】
【０００４】
【特許文献１】特開２０１７−２１９９１９号公報
【発明の概要】
【０００５】
お互いを知らなかった、第１端末を有する第１ユーザと第２端末を有する第２ユーザとが、対象空間にて相対する状況において、第１端末と第２端末との間で対象空間内の通信媒体を用いた通信により、第１ユーザを識別するための識別情報を第１端末から第２端末に送信する。
【０００６】
このコミュニケーション方法により、複数のユーザの間の相互理解を深めることができる。
【図面の簡単な説明】
【０００７】
【図１】図１は、本開示の一実施形態に係るコミュニケーション方法が適用される会合の一例を示す説明図である。
【図２】図２は、同上のコミュニケーション方法が適用される会合の一例を示す説明図である。
【図３】図３は、同上のコミュニケーション方法に用いられる通信システムのシステム構成図である。
【図４】図４は、同上のコミュニケーション方法の一例を示すフローチャートである。
【図５】図５は、同上のコミュニケーション方法によって表示装置に表示される画面の説明図である。
【図６】図６は、同上のコミュニケーション方法によって表示装置に表示される画面の説明図である。
【図７】図７は、同上のコミュニケーション方法によって表示装置に表示される画面の説明図である。
【発明を実施するための形態】
【０００８】
以下に説明する実施形態は、本開示の種々の実施形態の一つに過ぎない。本開示の実施形態は、下記実施形態に限定されることはなく、この実施形態以外も含み得る。また、下記の実施形態は、本開示に係る技術的思想を逸脱しない範囲であれば、設計等に応じて種々の変更が可能である。
【０００９】
（実施形態）
（１）  概要
本実施形態に係るコミュニケーション方法は、お互いを知らなかった第１ユーザと第２ユーザとの間のコミュニケーションに用いられる方法である。
【００１０】
本開示のコミュニケーション方法は、例えば、お互いを知らなかった複数の人がパートナーを見つけるために集まる会合において、会合に参加した２以上の人が相対する状況で２以上の人の間のコミュニケーションに用いられる。この種の会合としては、例えば、結婚相談所等の主催者が企画して開催される、結婚相手又は交際相手を見つけるためのパーティ（いわゆる婚活パーティ）があり、以下の実施形態ではコミュニケーション方法が婚活パーティのようなパーティに適用される場合について説明する。図１は、パーティにおいて、パーティに参加した第１ユーザＨ１と第２ユーザＨ２とが対象空間ＳＰ１にて相対する状況を示している。第１ユーザＨ１及び第２ユーザＨ２は、それぞれ、パートナーを見つけるためにパーティに参加した参加者である。図１の例では、第１ユーザＨ１が男性の参加者で、第２ユーザＨ２が女性の参加者である。また、本実施形態のコミュニケーション方法が適用される会合は婚活パーティに限定されない。本実施形態のコミュニケーション方法が適用される会合は、様々な業種の複数のビジネスパーソンがビジネスパートナーを見つけるために集まる異業種交流パーティでもよい。また、本実施形態のコミュニケーション方法が適用される会合は、複数の会社が人材を採用するために合同で行う会社説明会、歌手・俳優・芸人等を選ぶために行う選考会（オーディション）、等でもよい。さらに、本実施形態のコミュニケーション方法が適用される会合は、例えば共通の趣味を有した友人を探すパーティなどでもよい。なお、第１ユーザＨ１及び第２ユーザＨ２の性別は一例であり、第１ユーザＨ１が女性の参加者で、第２ユーザＨ２が男性の参加者でもよい。また、第１ユーザＨ１及び第２ユーザＨ２の性別は同性でも構わない。
【００１１】
本実施形態のコミュニケーション方法は、第１ユーザＨ１と第２ユーザＨ２とが対象空間ＳＰ１にて相対する状況、つまり第１ユーザＨ１が第２ユーザＨ２と直接的に触れる、又は会話することが可能な状況で用いられる。図２は、パーティの会場Ｒ１の全体を示す平面図である。ここで、第１ユーザＨ１と第２ユーザＨ２とが相対する状況は、例えば、パーティの会場Ｒ１に用意された複数のテーブルＴＢ１の周りに第１ユーザＨ１と第２ユーザＨ２とがそれぞれ存在する状況である。本実施形態のコミュニケーションが適用される会合には、男性の参加者である第１ユーザＨ１と、女性の参加者である第２ユーザＨ２とがそれぞれ複数人参加する。パーティの会場Ｒ１には複数のテーブルＴＢ１が配置され、女性の参加者である複数の第２ユーザＨ２は、予め決まったテーブルＴＢ１を利用するように決められている。そして、男性の参加者である複数の第１ユーザＨ１の各々は、所定の対話時間が経過するごとに、複数のテーブルＴＢ１を順番に移動することで、各テーブルＴＢ１にいる第２ユーザＨ２と相対した状況で会話をする。ここで、第１ユーザＨ１と第２ユーザＨ２とが相対する状況は、第１ユーザＨ１及び第２ユーザＨ２がテーブルＴＢ１の周りで立っている状況、及び、第１ユーザＨ１及び第２ユーザＨ２がテーブルＴＢ１の周りに置かれた椅子Ｃ１，Ｃ２に着席する状況を含む。本実施形態のコミュニケーション方法は、第１ユーザＨ１と第２ユーザＨ２とが相対するコミュニケーションの場において使用され、通信技術を利用して、第１ユーザＨ１と第２ユーザＨ２との間の相互理解を深めることを可能とする。
【００１２】
すなわち、本実施形態に係るコミュニケーション方法は、図１に示すように、第１ユーザＨ１と、第２ユーザＨ２とが対象空間ＳＰ１にて相対する状況において、少なくとも第１端末１１から第２端末１２に向けて、識別情報を送信する送信処理を含む。ここで、第１ユーザＨ１が第１端末１１を有（所持）し、第２ユーザＨ２が第２端末１２を有（所持）する。送信処理では、第１端末１１と、第２端末１２と、の間で、対象空間ＳＰ１内の通信媒体を用いて通信を行うことにより、識別情報を送信する。識別情報は、第１端末１１を有（所持）する第１ユーザＨ１を識別するための情報（以下では、第１識別情報ともいう）である。
【００１３】
特許文献１に記載のシステムは、イベントの盛況度を解析できるに過ぎず、イベントに参加している複数の参加者（ユーザ）の間の相互理解を深めることまでは期待できない。
【００１４】
それに対して、本実施形態に係るコミュニケーション方法は、第１ユーザＨ１と第２ユーザＨ２との間の相互理解を深めることを可能とする。
【００１５】
本開示でいう「所持」は、人が持っている又は携帯していること全般を意味し、手に持っている場合だけでなく、身に着けている（装着している）こと、及びポケット若しくはバッグ等に収容していることを含む。本実施形態では、男性の参加者である第１ユーザＨ１が第１端末１１を所持し、女性の参加者である第２ユーザＨ２が第２端末１２を所持している。
【００１６】
この場合、識別情報は、少なくとも第１端末１１を所持する第１ユーザＨ１（図１の例では男性の参加者）を識別するための情報である。なお、第１ユーザＨ１が女性の参加者で、第２ユーザＨ２が男性の参加者である場合、識別情報は、第１端末１１を所持する第１ユーザＨ１（この場合は女性の参加者）を識別するための情報となる。
【００１７】
また、第１ユーザＨ１と第２ユーザＨ２とが相対する対象空間ＳＰ１は、例えば、室内のように壁及び天井等で囲まれた閉じた空間であってもよいし、屋外のように少なくとも一部が開放された空間であってもよい。このような対象空間ＳＰ１内の通信媒体として、例えば、人体通信の場合には、対象空間ＳＰ１に存在する人（つまり第１ユーザＨ１及び第２ユーザＨ２）の身体の少なくとも一部、及び床、壁又はテーブル等の物体が含まれる。有線通信の場合には、対象空間ＳＰ１に存在するケーブル及びコネクタ等が、対象空間ＳＰ１内の通信媒体に含まれる。無線通信の場合には、対象空間ＳＰ１を伝播する電波及び光等が、対象空間ＳＰ１内の通信媒体に含まれる。
【００１８】
上述のようなコミュニケーション方法を使用することによって、第１ユーザＨ１が有する第１端末１１から、第２ユーザＨ２が有する第２端末１２に向けて、第１ユーザＨ１を識別するための識別情報を送信することができる。これにより、第２端末１２は、第１端末１１から送信された識別情報に基づいて、第１端末１１を有する第１ユーザの識別情報を取得することができる。このような状況下において初めてやり取りや閲覧が可能になる識別情報、及び、これ（識別情報）に対応する第１ユーザＨ１あるいは第２ユーザＨ２に関する情報は、相手を知らなかった第１ユーザＨ１あるいは第２ユーザＨ２にとっては単なる情報以上の高い価値を有することになる。したがって、本実施形態によれば、それまでお互いを知らなかった第１ユーザＨ１と第２ユーザＨ２との間での相互理解を深めることが可能なコミュニケーション方法を提供できる。
【００１９】
（２）詳細
以下、本実施形態に係るコミュニケーション方法について詳しく説明する。以下では、お互いを知らない第１ユーザＨ１と第２ユーザＨ２との間のコミュニケーションに、本実施形態に係るコミュニケーション方法が用いられる場合を例示する。
【００２０】
（２．１）システム構成
まず、本実施形態に係るコミュニケーション方法に用いられる通信システム１について、図１〜図３を参照して説明する。図１及び図２中の第１ユーザＨ１、第２ユーザＨ２及び対象空間ＳＰ１は概念的に表しているにすぎず、通信システム１の構成要素に第１ユーザＨ１、第２ユーザＨ２及び対象空間ＳＰ１が含まれる訳ではない。
【００２１】
本実施形態に係る通信システム１（図３参照）は、お互いを知らない第１ユーザＨ１と第２ユーザＨ２とが対象空間ＳＰ１にて相対する状況で使用される通信システムである。この通信システム１は、第１ユーザＨ１が有する第１端末１１と、第２ユーザＨ２が有する第２端末１２と、を備える。第１端末１１と第２端末１２との間で、対象空間ＳＰ１内の通信媒体を用いて通信を行うことにより、少なくとも第１端末１１から第２端末１２に向けて、第１端末１１を有する第１ユーザＨ１を識別するための識別情報を送信する。
【００２２】
本実施形態に係る通信システム１は、第１端末１１及び第２端末１２に加えて、表示端末２０及び情報提示システム３０を更に備えている。ただし、表示端末２０及び情報提示システム３０は、通信システム１に必須の構成要素ではなく、表示端末２０及び情報提示システム３０の少なくとも一つが、通信システム１の構成要素に含まれていなくてもよい。
【００２３】
第１端末１１は、本実施形態では一例として、図１に示すように、第１ユーザＨ１の手首に装着可能なリストバンド型（腕時計型）の端末である。この第１端末１１は、第１ユーザＨ１の手首に取り付けられた状態で使用される。
【００２４】
同様に、第２端末１２は、本実施形態では一例として、図１に示すように、第２ユーザＨ２の手首に装着可能なリストバンド型（腕時計型）の端末である。この第２端末１２は、第２ユーザＨ２の手首に取り付けられた状態で使用される。
【００２５】
本実施形態では、第１端末１１と第２端末１２とは、ハードウェアの構成が共通であって、ソフトウェアのみで区別されている。そのため、端末は、ソフトウェアの設定如何によって、第１端末１１と第２端末１２とのいずれとしても使用可能である。第１端末１１及び第２端末１２は、いずれも電池駆動式である。第１端末１１及び第２端末１２の電池は、充電可能な二次電池であることが好ましい。
【００２６】
第１端末１１は、図３に示すように、第１処理部１１１と、第１通信部１１２と、を有している。なお、第１端末１１は、さらに無線通信部１１３を含んでもよい。
【００２７】
第１通信部１１２は、第２端末１２（の第２通信部１２２）との通信を行う。第１通信部１１２は、例えば人体通信方式で第２通信部１２２と通信を行う。第１端末１１と第２端末１２との間の通信方式、つまり第１通信部１１２と第２通信部１２２との間の通信方式は、いわゆる「人体通信」である。第１端末１１と第２端末１２との間の通信方式について詳しくは「（２．２）通信方式」の欄で説明する。
【００２８】
第１処理部１１１は、第１通信部１１２の制御等、種々の処理を実行する。第１処理部１１１は、１以上のプロセッサ及び１以上のメモリを有するマイクロコントローラを主構成とする。すなわち、マイクロコントローラのメモリに記録されたプログラムを、マイクロコントローラのプロセッサが実行することにより、第１処理部１１１の機能が実現される。プログラムはメモリにあらかじめ記録されていてもよいし、インターネット等の電気通信回線を通して提供されてもよく、メモリカード等の非一時的記録媒体に記録されて提供されてもよい。
【００２９】
無線通信部１１３は、適宜の無線方式により、無線通信を行う。無線通信部１１３の無線方式は、第２端末１２の無線通信部１２３と同様である。なお、第１端末１１として使用さられる端末が、設定等によって第２端末１２として使用される場合、無線通信部１１３は表示端末２０との通信を行う。
【００３０】
第２端末１２は、第２処理部１２１と、第２通信部１２２と、無線通信部１２３と、を有している。
【００３１】
第２通信部１２２は、第１端末１１（の第１通信部１１２）との通信を行う。第２通信部１２２は、例えば人体通信方式で第１通信部１１２と通信を行う。
【００３２】
無線通信部１２３は、表示端末２０との通信を行う。第２端末１２と表示端末２０との間の通信方式としては、適宜の通信方式（無線通信又は有線通信）を採用可能である。第２端末１２と表示端末２０との間の通信は、無線通信のみによって実現される構成に限らず、第２端末１２と表示端末２０との間の通信経路の一部は有線通信によって実現されてもよい。無線方式の一例としては、Ｂｌｕｅｔｏｏｔｈ（登録商標）、Ｗｉ−Ｆｉ（登録商標）、ＺｉｇＢｅｅ（登録商標）又は免許を必要としない小電力無線（特定小電力無線）等の規格に準拠した無線通信等がある。第２端末１２と表示端末２０との間の通信方式は、これらの通信方式のうちの２つ以上の方式を併用してもよい。このように複数の通信方式で通信すれば、外来ノイズ等の影響による通信不良の発生を低減できる。なお、無線通信部１２３は、表示端末２０と通信する構成に限られず、無線ルータなどの無線機器を介して表示端末２０と通信する構成でも構わない。さらに、無線通信部１２３は、直接あるいは無線ルータなどの無線機器を介して後述する管理システム４０さらには情報提示システム３０と通信する構成でも構わない。この場合、管理システム４０及び情報提示システム３０が、表示端末２０と通信する。
【００３３】
第１端末１１は、第１通信部１１２に通信を開始させるトリガを検知するためのトリガ検知部を更に有していてもよい。この場合、トリガ検知部にてトリガを検知することをもって、第１通信部１１２が通信を開始する。そのため、トリガ検知部でトリガが検知されるまでは、第１通信部１１２を起動しなくてもよく、第１通信部１１２による消費電力を抑えることが可能である。トリガ検知部は、例えば、加速度センサ、ジャイロセンサ又は感圧センサ等のセンサで、第１ユーザＨ１の動作に起因したトリガを検知してもよい。また、トリガ検知部は、例えば、第２端末１２から近距離無線通信により周期的に送信されるポーリング信号を受信することをもって、トリガを検知する構成であってもよい。あるいは、トリガ検知部は、第２ユーザＨ２の近くに設置されている表示端末２０から周期的に送信されるポーリング信号を受信することをもって、トリガを検知する構成であってもよい。また、ポーリング信号は、無線通信によって送信される構成に限らず、人体通信によって送信されてもよい。この場合、ポーリング信号を送信する電極は、例えば、第１端末１１を有する第１ユーザＨ１が相対する第２ユーザＨ２の近くであって、第１ユーザＨ１が触れるような位置に設置される。この電極は、例えば、第１ユーザＨ１が座る椅子Ｃ１に設置されてもよい。
【００３４】
同様に、第２端末１２は、第２通信部１２２に通信を開始させるトリガを検知するためのトリガ検知部を更に有していてもよい。
【００３５】
さらに、通信システム１は、第２ユーザＨ２の近くであり、第２ユーザＨ２と相対している状況にある第１ユーザＨ１の存在を検知するセンサを更に備えていてもよい。この場合、このセンサで第１ユーザＨ１の存在を検知した際、第２ユーザＨ２の近くに設置されている表示端末２０からトリガを第１端末１１又は第２端末１２へと送信する。
【００３６】
表示端末２０は、複数のテーブルＴＢ１の各々に設置されている。一例として、表示端末２０は、タブレット端末等の携帯情報端末である。表示端末２０は、当該表示端末２０が設置されたテーブルＴＢ１の椅子Ｃ２に座る第２ユーザＨ２（女性の参加者）の第２端末１２とペアリングされている。表示端末２０と第２端末１２とのペアリングは、例えば、無線通信により実現されてもよいし、第２端末１２に付されているシリアルコード又は二次元コード等を表示端末２０に入力することにより実現されてもよい。なお、表示端末２０は、テーブルＴＢ１の設置されたタブレット端末に限らず、第１ユーザＨ１と第２ユーザＨ２とが相対する対象空間ＳＰ１に設置されたノート型パーソナルコンピュータあるいはスマートフォン等の携帯型の情報処理装置であってもよい。この場合、表示端末２０は、主催者の所有物などであり、その会合が開催される時間中のみ第１ユーザＨ１及び第２ユーザＨ２へ利用が許可されている。なお、表示端末２０は、この構成に限られず第１ユーザＨ１あるいは第２ユーザＨ２の所有物であってもよい。
【００３７】
表示端末２０は、処理部２１と、第１通信インタフェース２２（以下、第１通信Ｉ／Ｆとも言う）と、第２通信インタフェース２３（以下、第２通信Ｉ／Ｆとも言う）と、表示部２４と、入力部２５と、報知部２６とを有している。
【００３８】
処理部２１は、第１通信Ｉ／Ｆ２２、第２通信Ｉ／Ｆ２３、表示部２４及び報知部２６の制御等、種々の処理を実行する。処理部２１は、１以上のプロセッサ及び１以上のメモリを有するマイクロコントローラを主構成とする。すなわち、マイクロコントローラのメモリに記録されたプログラムを、マイクロコントローラのプロセッサが実行することにより、処理部２１の機能が実現される。プログラムはメモリにあらかじめ記録されていてもよいし、インターネット等の電気通信回線を通して提供されてもよく、メモリカード等の非一時的記録媒体に記録されて提供されてもよい。
【００３９】
第１通信Ｉ／Ｆ２２は、第２端末１２（の無線通信部１２３）との通信を行う。第１通信Ｉ／Ｆ２２は、第２端末１２の無線通信部１２３と同様の通信方式で、第２端末１２と通信を行う。
【００４０】
第２通信Ｉ／Ｆ２３は、例えば、インターネットのようなネットワークを介して情報提示システム３０と通信を行う。
【００４１】
表示部２４は、本実施形態では一例として、第１ユーザＨ１と第２ユーザＨ２との少なくとも一方に関連する提示情報を提示するための画面（図５〜図７参照）を表示する。本開示でいう「画面」は、表示部２４に映し出される像（画像等）である。表示部２４は、例えば、液晶ディスプレイ又は有機ＥＬ（Ｅｌｅｃｔｒｏ  Ｌｕｍｉｎｅｓｃｅｎｃｅ）ディスプレイ等の画像表示装置により実現される。なお、図５〜図７において、図面中の符号は説明のために図示しているに過ぎず、実際には表示されない。
【００４２】
入力部２５は、第１ユーザＨ１又は第２ユーザＨ２の操作を受け付けて、操作に応じた入力信号を出力する。本実施形態では、表示端末２０がタッチパネルディスプレイを搭載しており、タッチパネルディスプレイが表示部２４及び入力部２５として機能する。すなわち、表示端末２０は、表示部２４に表示される各画面上でのボタン等のオブジェクトの操作（タップ、スワイプ、ドラッグ等）が入力部２５で検出されることをもって、ボタン等のオブジェクトが操作されたことと判断する。
【００４３】
報知部２６は、例えばスピーカを含み、メロディー音又は音声メッセージ等の報知音をスピーカから出力する。なお、表示端末２０は、本実施形態では一例として、表示部２４、入力部２５、第１通信Ｉ／Ｆ２２、及び第２通信Ｉ／Ｆ２３を含むタブレット端末であるが、これに限られず、これらの一部または全部は別々の装置によって構成されていてもよい。例えば、表示部２４としては、モニタを用いてもよいし、処理部２１及び第２通信Ｉ／Ｆとしては、タワー型コンピュータでもよく、入力部２５としてはキーボードやマウスでもよい。
【００４４】
情報提示システム３０は、本実施形態では一例として、１台のパーソナルコンピュータで実現される。
【００４５】
情報提示システム３０は、処理部３１と、通信部３２と、入力部３３と、記憶部３４と、を備える。
【００４６】
通信部３２は、表示端末２０の第２通信Ｉ／Ｆ２３との間で通信を行う。
【００４７】
入力部３３は、例えばキーボード、マウス、タッチパネル等の入力装置を含む。入力部３３は、情報提示システム３０のユーザによる入力操作を受け付け、ユーザの入力操作によって入力された情報を処理部３１に出力する。
【００４８】
記憶部３４は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等から選択されるデバイスで構成される。記憶部３４は、例えば、本実施形態のコミュニケーション方法が適用される会合に参加した複数の第１ユーザＨ１のそれぞれに関連する情報（第１ユーザ情報）と、複数の第２ユーザＨ２のそれぞれに関連する情報（第２ユーザ情報）とを記憶する。第１ユーザ情報は、各第１ユーザＨ１が予め登録した年齢、性別、職業、住所、年収、趣味、顔写真、連絡先等のプロフィール情報と、各第１ユーザＨ１が相手に聞きたい質問に関する質問情報とを含む。同様に、第２ユーザ情報は、各第２ユーザＨ２が予め登録した年齢、性別、職業、住所、年収、趣味、顔写真、連絡先等のプロフィール情報と、各第１ユーザＨ１が相手に聞きたい質問に関する質問情報とを含む。
【００４９】
処理部３１は、通信部３２の制御等、種々の処理を実行する。処理部３１は、１以上のプロセッサ及び１以上のメモリを有するマイクロコントローラを主構成とする。すなわち、マイクロコントローラのメモリに記録されたプログラムを、マイクロコントローラのプロセッサが実行することにより、処理部３１の機能が実現される。プログラムはメモリにあらかじめ記録されていてもよいし、インターネット等の電気通信回線を通して提供されてもよく、メモリカード等の非一時的記録媒体に記録されて提供されてもよい。
【００５０】
本実施形態の処理部３１は、例えば、取得部３１１、提示部３１２、登録部３１３、及び相性判定部３１４等の機能を有する。
【００５１】
取得部３１１は、通信部３２を介して、例えば表示端末２０から、第２端末１２の識別情報（第２識別情報）と、第２端末１２を有する第２ユーザＨ２と相対している第１ユーザＨ１が有する第１端末１１の識別情報（第１識別情報）とを取得する。
【００５２】
提示部３１２は、取得部３１１が取得した第１識別情報及び第２識別情報に基づいて、第１ユーザＨ１及び第２ユーザＨ２に関連する関連情報の一部または全てを記憶部３４から抽出する。提示部３１２は、記憶部３４から抽出した関連情報に基づいて、表示端末２０の画面上に関連情報を提示する提示画面のコンテンツを作成し、Ｗｅｂページのデータを通信部３２を介して表示端末２０に送信する。この際、提示部３１２は、関連情報の中であらかじめ主催者によって、あるいは第１ユーザＨ１又は第２ユーザＨ２自身によって相手方へ開示してもよい情報として記憶された情報の中からコンテンツを作成する。表示端末２０の第２通信Ｉ／Ｆ２３が情報提示システム３０から送信されたＷｅｂページのデータを受信すると、処理部２１は提示画面を表示部２４に表示させる。
【００５３】
登録部３１３は、例えば、入力部３３から入力される入力情報等に基づいて、本実施形態のコミュニケーション方法が適用されるパーティに参加する第１ユーザＨ１及び第２ユーザＨ２に関連する関連情報を記憶部３４に登録する。登録部３１３は、通信部３２を介して管理システム４０から取得した関連情報を記憶部３４に登録してもよい。この場合、入力部３３は、第１ユーザＨ１及び第２ユーザＨ２が個人的に所有するスマートフォンなどの携帯情報端末でもよい。
【００５４】
相性判定部３１４は、取得部３１１が取得した第１識別情報及び第２識別情報をもとに、記憶部３４から抽出した第１ユーザＨ１及び第２ユーザＨ２に関連する関連情報に基づいて、相対している第１ユーザＨ１と第２ユーザＨ２との相性を評価する相性値を求める。
【００５５】
なお、本実施形態では情報提示システム３０が１台のパーソナルコンピュータで実現されているが、情報提示システム３０が複数台のコンピュータで実現されてもよいし、クラウド（クラウドコンピューティング）にて実現されてもよい。
【００５６】
また、本実施形態の通信システム１では、第１端末１１と第２端末１２との間で、対象空間ＳＰ１内の通信媒体を用いて通信を行っていればよく、その他の通信については、対象空間ＳＰ１内の通信媒体を用いなくてもよい。つまり、対象空間ＳＰ１内の通信媒体を用いた通信は、相対している第１ユーザＨ１及び第２ユーザＨ２がそれぞれ有する第１端末１１と第２端末１２との間で行われていればよく、第２端末１２と表示端末２０との間の通信は対象空間ＳＰ１内の通信媒体を用いなくてもよい。
【００５７】
（２．２）通信方式
次に、第１端末１１と第２端末１２との間の通信方式について詳しく説明する。
【００５８】
上述したように、本実施形態では、第１端末１１と第２端末１２との間の通信方式としては、「人体通信」を採用している。つまり、本実施形態に係るコミュニケーション方法では、第１端末１１と第２端末１２との間で人体通信を行うことにより、識別情報を送信する。本開示でいう「人体通信」は、人体の一部を通信媒体に用いる通信方式であって、ＨＢＣ（Ｈｕｍａｎ  Ｂｏｄｙ  Ｃｏｍｍｕｎｉｃａｔｉｏｎ）と呼ばれる通信方式である。特に、本実施形態では、人体の表面に発生する電界の変化を利用して情報を伝達する、電界方式の人体通信を採用する。電界方式の人体通信は、人体に電流を流さず、人体の表面に発生する電界の変化を利用して情報を伝達する近距離無線通信に属する。
【００５９】
本実施形態では第２端末１２としてもハードウェア構成が第１端末１１と同一の端末が用いられている。そこで、以下では、特に断りがない限り第１端末１１の構成について説明し、第２端末１２の構成についての説明は省略する。
【００６０】
第１端末１１は、第１端末１１を装着している人（第１ユーザＨ１）の身体（人体）に接触し得る位置に電極を有している。電極は、人体に対し、電界結合（容量結合）されていればよく、人体との間に多少の隙間が空いていてもよい。また、電極と人体との間に衣服等が介在していてもよい。いずれにせよ、電極は人体に対し近接し、かつ電極の表面の全体が人体と対向して配置されていることが好ましい。第１通信部１１２は、電極に電気的に接続されており、第１端末１１を装着している人（第１ユーザＨ１）の身体（人体）を通信媒体として伝送される信号を用いて、相手端末（第２端末１２）との通信を行う。
【００６１】
このとき、第１通信部１１２は、搬送波（キャリア）を変調することにより情報を含む伝送信号を生成し、伝送信号を電極に印加する。一例として、第１通信部１１２は、１０〔ＭＨｚ〕程度の矩形波を搬送波として使用し、変調方式としてＯＯＫ（Ｏｎ  Ｏｆｆ  Ｋｅｙｉｎｇ）を採用する。反対に、相手端末からの伝送信号を受信する場合、第１通信部１１２は、電界によって電極に誘起される伝送信号を受信し、伝送信号を復調することにより伝送信号に含まれる情報を抽出する。本実施形態では、第１端末１１と第２端末１２とは、双方向に通信可能である。
【００６２】
ここで、相手端末である第２端末１２は、第２ユーザＨ２に装着されている。そのため、基本的には、第１端末１１を装着した第１ユーザＨ１と、第２端末１２を装着した第２ユーザＨ２と、が身体同士を直接的に接触させるスキンシップをとることで、第１端末１１と第２端末１２との間の通信が可能になる。ここでいう「スキンシップ」は、第１ユーザＨ１と第２ユーザＨ２とが挨拶代わりに身体の一部を接触させる動作を含み、例えば、握手、ハイタッチ、及びハグのうちの少なくとも１つの動作を含む。言い換えれば、人体通信は、第２ユーザＨ２と第１ユーザＨ１とが直接的に接触した状態で行われる。ただし、第２ユーザＨ２と第１ユーザＨ１との接触は、素手同士で握手する場合のように人体表面を直接に接触させる構成に限らず、手袋又は衣類等を介して接触する場合も含んでいる。
【００６３】
要するに、第１ユーザＨ１の身体と電極が電界結合した状態の第１端末１１と、第２ユーザＨ２の身体と電極が電界結合した状態の第２端末１２と間で人体（第１ユーザＨ１及び第２ユーザＨ２）を通信媒体に用いて信号を授受することにより、第１端末１１と第２端末１２との間で電界通信（人体通信）が可能になる。ここでいう電界通信とは、主として静的静電界又は準静電界を利用して、特定の通信経路（ここでは人体）を信号が伝播する通信であって、例えば、人体と大地（床面）との間に生じる電界により、信号を伝送させる通信である。このような電界（静的静電界又は準静電界）の成分は、空間を伝播する場合、電極からの距離の３乗に比例して減衰する。つまり、人体通信に用いられる電界は、第１端末１１を装着した第１ユーザＨ１と、第２端末１２を装着した第２ユーザＨ２と、の間の距離に依存して急激に減衰する。よって、第１ユーザＨ１と第２ユーザＨ２とがスキンシップをとることで初めて、第１端末１１と第２端末１２との間の通信経路が成立し、第１端末１１と第２端末１２との間の通信が可能になる。
【００６４】
言い換えれば、この種の通信（人体通信）によって伝送される信号は、無線通信の場合の放射波とは異なり、空間中を少ない減衰で伝播する性質がなく、人体通信によれば、空間中の不特定の経路ではなく特定の通信経路にて繋がれた端末間で通信が確立する。そのため、この種の通信（人体通信）を採用することで、第１ユーザＨ１と第２ユーザＨ２とが、例えば、握手、ハイタッチ又はハグ等のスキンシップにより直接的に接触することで、第１端末１１と第２端末１２とは、初めて通信可能となる。言い換えれば、第１端末１１は、当該第１端末１１を有する第１ユーザＨ１と身体の一部が接触した他のユーザ（第２ユーザＨ２）が有する端末（第２端末１２）との間で通信可能となる。
【００６５】
すなわち、本実施形態では、人体通信は、第２ユーザＨ２と第１ユーザＨ１とが直接的に接触した状態で行われるため、単に第２ユーザＨ２と第１ユーザＨ１とが近くに居るというだけでは、第１端末１１と第２端末１２との間の通信は行われない。これにより、第１ユーザＨ１は、所望の第２ユーザＨ２とスキンシップを図ることで、第２ユーザＨ２が所持する第２端末１２と自身が有する第１端末１１との間で通信を行わせることができる。よって、第１ユーザＨ１は、当該第１ユーザＨ１と身体が接触していない第三者が装着している端末と、当該第１ユーザＨ１が有している第１端末１１とが意に反して通信することを抑制できる。また、第１端末１１と第２端末１２との間で通信が行われた事実、つまり第１端末１１から第２端末１２に識別情報（第１識別情報）が送信された事実は、第１ユーザＨ１と第２ユーザＨ２とが直接的に接触したこと（つまりスキンシップをとったこと）の記録となる。したがって、情報提示システム３０は、第１ユーザＨ１と第２ユーザＨ２とが相対していることを知ることができる。
【００６６】
また、この種の人体通信において、通信媒体（人体）を伝播する際に生じる電界の減衰は、空間を伝播する際に比べて十分に小さいため、非接触でありながらも放射波を用いた無線通信に比べて非常に小さなエネルギーで通信を実現できる。
【００６７】
（２．３）コミュニケーション方法
次に、本実施形態に係るコミュニケーション方法について、図３〜図５を参照して詳しく説明する。ここでは一例として、複数の第１ユーザＨ１（男性の参加者）と、複数の第２ユーザＨ２（女性の参加者）とが、結婚相手又は交際相手を見つけるためのパーティに参加している状況を想定する。そして、このパーティに参加した第１ユーザＨ１と第２ユーザＨ２とが対象空間ＳＰ１にて相対する状況で、第１ユーザＨ１と第２ユーザＨ２とのコミュニケーションに、本実施の形態に記載のコミュニケーション方法が用いられる場合について説明する。
【００６８】
本実施形態に係るコミュニケーション方法は、上述した通信システム１を用いて具現化される。そして、第１端末１１と第２端末１２との間の通信は、上述したように第１ユーザＨ１と第２ユーザＨ２とが直接的に接触した状態で行われる。そのため、第１端末１１から第２端末１２に向けて識別情報を送信する送信処理は、第１ユーザＨ１と第２ユーザＨ２とが、握手、ハイタッチ又はハグ等のスキンシップを行う際に行われる。そして、このような会合において、一般的にこの種のスキンシップはお互いを知らない人同士の挨拶のために行なわれ、その動作が第１端末１１と第２端末１２との間における通信経路の確立を兼ねている。
【００６９】
本実施形態に係るコミュニケーション方法は、第１ユーザＨ１と第２ユーザＨ２とが握手、ハイタッチ又はハグ等の動作を行うことで識別情報を送信する前の段階で、第１ユーザＨ１及び第２ユーザＨ２に関連する関連情報の設定等を行う事前の登録処理を含む。そのため、コミュニケーション方法の全体的な流れは、図４に示すフローチャートのようになる。
【００７０】
すなわち、本実施形態に係るコミュニケーション方法を利用するにあたり、図４に示すように、第１ユーザＨ１に関連する第１ユーザ情報と、第２ユーザＨ２に関連する第２ユーザ情報とを情報提示システム３０に登録する（Ｓ１）。つまり、情報提示システム３０には、ユーザに関連する関連情報（ユーザ情報）として、第１ユーザＨ１に関連する第１ユーザ情報と、第２ユーザＨ２に関連する第２ユーザ情報とが登録される。第１ユーザ情報は、第１ユーザＨ１に関連する情報であって、例えば、第１ユーザＨ１のプロフィール情報、及び第１ユーザＨ１が第２ユーザＨ２（参加している女性）に聞きたい質問の内容を示す情報を少なくとも含む。同様に、第２ユーザ情報は、第２ユーザＨ２に関連する情報をであって、例えば、第２ユーザＨ２のプロフィール情報、及び第２ユーザＨ２が第１ユーザＨ１（参加している男性）に聞きたい質問の内容を示す情報を少なくとも含む。ここで、プロフィール情報は、例えばユーザ（第１ユーザＨ１及び第２ユーザＨ２）の経歴等を示す情報であり、例えば名前（本名又は／及びニックネーム）、年齢、性別、居住地、出身地、出身校、職業（会社名）、勤務地、年収、家族構成、同居者、初婚・再婚、持ち家の有無、得意なこと、苦手なこと、趣味、興味があること、特技、及び顔写真、連絡先、マイナンバー、会費などの引き落としなどのための銀行口座等の情報を含む。なお、これらのプロフィール情報は、全ての項目が必須ではなく、第１ユーザＨ１及び第２ユーザの意思によって適宜登録されていない場合も含む。ただし、主催者が、プロフィール情報に含まれる複数種類の情報のうち、登録を必須にしている情報については、少なくとも登録されている。また、これら複数種類の情報のうちで、例えばマイナンバーや銀行口座などをプロフィール情報として管理する場合、これらは主催者のみが閲覧可能なようにセキュリティをかけた状態で保管されている。あるいは、情報提示システム３０からは直接にはアクセスできないサーバなどに保管しておく。
【００７１】
情報提示システム３０への第１ユーザ情報及び第２ユーザ情報の登録は、例えば、第１ユーザＨ１及び第２ユーザＨ２が事前に質問用紙に記入した情報を、情報提示システム３０のユーザ（例えばパーティの主催者等）が、入力部３３を用いて登録することによって行われる。なお、情報提示システム３０は、複数のユーザ（第１ユーザＨ１及び第２ユーザＨ２）のユーザ情報（第１ユーザ情報及び第２ユーザ情報）を蓄積する管理システム４０から、今回のパーティに参加する複数の第１ユーザＨ１の第１ユーザ情報と、今回のパーティに参加する複数の第２ユーザＨ２の第２ユーザ情報とをそれぞれ取得して、記憶部３４に登録してもよい。例えば、婚活パーティを利用したいユーザ（第１ユーザＨ１及び第２ユーザＨ２）は、婚活パーティに参加する前に、婚活パーティの主催者（結婚相談所等）に自身のユーザ情報を登録する必要があり、主催者に登録したユーザ情報が管理システム４０に蓄積されている。ここで、管理システム４０が、蓄積している第１ユーザ情報及び第２ユーザ情報の全てを情報提示システム３０に提供することは必須ではなく、蓄積している第１ユーザ情報及び第２ユーザ情報の一部を情報提示システム３０に提供してもよい。つまり、管理システム４０は、複数のユーザのそれぞれについて蓄積しているユーザ情報のうち、一部の項目についての情報を情報提示システム３０に提供してもよい。
【００７２】
次に、情報提示システム３０にパーティに参加するユーザ（第１ユーザＨ１及び第２ユーザＨ２）のユーザ情報（第１ユーザ情報及び第２ユーザ情報）が登録された状態で、パーティの主催者は、第１ユーザＨ１及び第２ユーザＨ２にそれぞれ個別の端末を持たせる。ここで、第１ユーザＨ１が有する端末が第１端末１１となり、第２ユーザＨ２が有する端末が第２端末１２となる。複数の端末にはそれぞれ個別の識別情報が登録されており、以下では、第１ユーザＨ１が有する端末（第１端末１１）の識別情報を第１識別情報といい、第２ユーザが有する端末（第２端末１２）の識別情報を第２識別情報という場合もある。
【００７３】
パーティの主催者は、第１ユーザＨ１及び第２ユーザＨ２にそれぞれ個別の端末を持たせると、情報提示システム３０に記憶されているユーザのユーザ情報と、ユーザが有する端末の識別情報との対応付けを行う（Ｓ２）。すなわち、情報提示システム３０のユーザ（パーティの主催者）は、例えば入力部３３を用いて、第１ユーザＨ１に持たせた第１端末１１の識別情報（第１識別情報）を、第１ユーザＨ１の第１ユーザ情報と対応付けて記憶部３４に記憶させる。また、情報提示システム３０のユーザ（パーティの主催者）は、例えば入力部３３を用いて、第２ユーザＨ２に持たせた第２端末１２の識別情報（第２識別情報）を、第２ユーザＨ２の第２ユーザ情報と対応付けて記憶部３４に記憶させる。これにより、情報提示システム３０には、複数のユーザ（第１ユーザＨ１及び第２ユーザＨ２）のそれぞれに関連するユーザ情報（第１ユーザ情報及び第２ユーザ情報）と、各ユーザが有する端末（第１端末１１及び第２端末１２）の識別情報とを対応付けた状態で記憶する、データベースが生成される。
【００７４】
なお、情報提示システム３０に記憶されているユーザのユーザ情報と、ユーザが有する端末の識別情報との対応付けは、パーティの主催者が情報提示システム３０を用いて手動で行うことに限定されない。例えば、パーティに参加するユーザが、自身の有するスマートフォンを用いて、端末（第１端末１１及び第２端末１２）に表示されたシリアルコード又は二次元コード等の識別情報を読み取り、読み取った識別情報を情報提示システム３０に送信してもよい。情報提示システム３０は、ユーザが有するスマートフォンから送信された端末の識別情報をもとに、当該ユーザのユーザ情報と端末の識別情報との対応付けを行ってもよい。換言すれば、情報提示システム３０は、第１ユーザＨ１による第１端末情報の入力を受け付けると、第１端末情報に基づいて第１ユーザＨ１と第１端末１１との対応付けを行う。また、情報提示システム３０は、第２ユーザＨ２による第２端末情報の入力を受け付けると、第２端末情報に基づいて第２ユーザＨ２と第２端末１２との対応付けを行う。第１端末情報は第１端末１１を識別するための情報であり、第１端末情報は第２端末を識別するための情報である。このように、第１ユーザＨ１によって入力された第１端末情報に基づいて、第１ユーザＨ１と第１端末１１との対応付けが行われるので、第１ユーザＨ１のユーザ情報が別のユーザが有する端末に対応付けられる可能性を低減できる。同様に、第２ユーザＨ２によって入力された第２端末情報に基づいて、第２ユーザＨ１と第２端末１２との対応付けが行われるので、第２ユーザＨ２のユーザ情報が別のユーザが有する端末に対応付けられる可能性を低減できる。
【００７５】
処理Ｓ１〜Ｓ２はパーティが開始するまでに実行されており、処理Ｓ１〜Ｓ２が完了している状態で、コミュニケーション方法が使用される。パーティが開催される間は、第１ユーザＨ１は第１端末１１を所持（装着）し、第２ユーザＨ２は第２端末１２を所持（装着）していることとする。また、複数のテーブルＴＢ１に女性の参加者である第２ユーザＨ２が１人ずつ存在するように、複数の第２ユーザＨ２の座る椅子Ｃ２が決められている。本実施形態では、複数の第２ユーザＨ２は、パーティの間中、同じ椅子Ｃ２に座るように座席が割り当てられている。換言すれば、複数の第２ユーザＨ２のそれぞれには、椅子Ｃ２とセットのテーブルＴＢ１が割り当てられている。そして、第２ユーザＨ２が所持する第２端末１２の識別情報は、当該第２ユーザＨ２に割り当てられたテーブルＴＢ１に置かれた表示端末２０に登録されており、表示端末２０は、識別情報が登録されている第２端末１２との間で通信を行う。第２端末１２と表示端末２０との間では例えばＢｌｕｅｔｏｏｔｈ（登録商標）のような通信方式で無線通信を行っている。あるテーブルＴＢ１に置かれた表示端末２０は、別のテーブルＴＢ１を使用する第２ユーザＨ２の第２端末１２から送信される電波を受信可能であるが、表示端末２０は、予め登録された識別情報に基づいて、同じテーブルＴＢ１に割り当てられた第２ユーザＨ２の第２端末１２のみと通信を行う。
【００７６】
ここで、本実施形態のコミュニケーション方法が適用されるパーティは、例えば、第１部と第２部との２部構成である。第１部では、所定の対話時間が経過するごとに、第１ユーザＨ１（男性の参加者）がテーブルＴＢ１を順番に移動し、各テーブルＴＢ１にいる第２ユーザＨ２（女性の参加者）と、表示端末２０に提示されたプロフィール情報（提示情報）をもとに会話を行う。第１部は、複数の第１ユーザＨ１の各々が、複数の第２ユーザＨ２の各々と順番に対向した状態で会話を行うことで、複数の第２ユーザＨ２の各々と知り合うことを目的とする。一方、第２部では、所定の対話時間が経過するごとに、第１ユーザＨ１がテーブルＴＢ１を順番に移動し、各テーブルＴＢ１にいる第２ユーザＨ２と、表示端末２０に提示された質問（提示情報）についてお互いの考えを話し合う。第２部は、第１部で知り合った第１ユーザＨ１と第２ユーザＨ２とが、より深いテーマ（質問）についてお互いの考えを話すことで、お互いの価値観、人生観等を確認することを目的とする。なお、第２部では、男性の参加者である第１ユーザＨ１は、複数の第２ユーザＨ２の全てと話しをする必要はなく、第１部で印象が良かった第２ユーザＨ２のところに行って話しをしてもよい。また、パーティが２部構成であることは必須ではなく、パーティが、第２部の後に第３部を更に含んでいてもよい。例えばこの場合、第３部では、パーティの結果でお互いが気に入って、お互いの連絡先を交換する。なお、この場合、第１ユーザＨ１と第２ユーザＨ２との直接的な接触によって、お互いのスマートフォンに対して情報提示システム３０から相手方の連絡先がメールなどによって送信される。ただし、この際にこれらの情報は、表示端末２０には表示されず、表示端末２０ではたとえば「カップル成立おめでとう」等の文字や図形などを表示する。また、この場合の情報提示システム３０は、各テーブルＢ１の表示端末２０よりも大きな画面を有する表示装置（例えば会場Ｒ１に設置された大画面のモニタ装置）に表示するようにしてもよい。
【００７７】
パーティの第１部が始まり、男性の参加者である第１ユーザＨ１が、あるテーブルＴＢ１に移動し、このテーブルＴＢ１に割り当てられた第２ユーザＨ２と相対する。このとき、第１ユーザＨ１と第２ユーザＨ２とが相対している空間が、対象空間ＳＰ１となる。この状態では、第１ユーザＨ１と第２ユーザＨ２とは直接的に接触していないので、第１端末１１と第２端末１２との通信は開始しない（Ｓ３：Ｎｏ）。
【００７８】
一方、図１に示すように、第１ユーザＨ１が第２ユーザＨ２と握手すると、第１ユーザＨ１と第２ユーザＨ２とは直接的に接触するため、第１端末１１と第２端末１２との通信が開始する（Ｓ３：Ｙｅｓ）。第１端末１１と第２端末１２との通信が開始すると、まずは第１端末１１から第２端末１２に第１識別情報Ｄ１が送信される、送信処理が行われる（Ｓ４）。このとき、送信処理では、第１端末１１と第２端末１２との間で、対象空間ＳＰ１内の通信媒体を用いて通信を行うことにより、第１識別情報Ｄ１が送信される。つまり、上述したように、対象空間ＳＰ１内に存在する人体（第１ユーザＨ１及び第２ユーザＨ２）を通信媒体として、第１端末１１から第２端末１２に第１識別情報Ｄ１が送信される。
【００７９】
第１端末１１から第１識別情報Ｄ１を受信した第２端末１２は、表示端末２０を経由して、情報提示システム３０に、第１識別情報Ｄ１と、自身に割り当てられた第２識別情報Ｄ２とを含む要求信号を送信する（Ｓ５）。これにより、表示端末２０から情報提示システム３０には、少なくとも第１識別情報Ｄ１と第２識別情報Ｄ２が送信される。情報提示システム３０では、通信部３２が表示端末２０から第１識別情報Ｄ１と第２識別情報Ｄ２とを含む要求信号を受信すると、取得部３１１が第１識別情報Ｄ１及び第２識別情報Ｄ２を取得する。処理部３１は、取得部３１１が取得した第１識別情報Ｄ１及び第２識別情報Ｄ２を日時に関する日時情報等と共に記憶部３４に記憶することで、第１ユーザＨ１と第２ユーザＨ２とのペアがいつ会話をしたかのログ情報を記憶部３４に記憶させる。そして、提示部３１２は、記憶部３４に記憶されたログ情報に基づいて、取得部３１１が取得した第１識別情報Ｄ１及び第２識別情報Ｄ２の組み合わせが今回の会合において１回目か否か、つまり相対している第１ユーザＨ１と第２ユーザＨ２とが初顔合わせか否かを判断する（Ｓ６）。なお、ここでは第１ユーザＨ１と第２ユーザＨ２とのペアが今回の会合で初めて会話したか否かを判定しているが、これに限られず、過去の同様の会合において既に顔合わせしているか否かを含めて、判断してもよい。この場合、過去の同様の会合で顔合わせしている組み合わせでも１回目と判断してもよいし、初顔合わせでないと判断してもよい。
【００８０】
処理Ｓ６の判定で、第１識別情報Ｄ１と第２識別情報Ｄ２との組み合わせが１回目、つまり、パーティの第１部で第１ユーザＨ１と第２ユーザＨ２とが初めて顔を合わせた場合（Ｓ６：Ｙｅｓ）、提示部３１２は、両者の一部又は全てのプロフィール情報を表示端末２０に提示させる。すなわち、提示部３１２は、第１識別情報Ｄ１に関連付けられた第１ユーザ情報と、第２識別情報Ｄ２に関連付けられた第２ユーザ情報とを検索する（Ｓ７）。提示部３１２は、第１ユーザ情報及び第２ユーザ情報にそれぞれ含まれるプロフィール情報に関する情報をもとに、提示情報として一部又は全てのプロフィール情報を表示するためのコンテンツ（表示画面）を作成し、作成したコンテンツの画面データを通信部３２を介して表示端末２０に出力する。表示端末２０では、情報提示システム３０から送信されたコンテンツの画面データを第２通信Ｉ／Ｆ２３が受信すると、処理部２１が、コンテンツの画面データに基づいて表示部２４にコンテンツの画面を表示（提示）させる（Ｓ８）。すなわち、本実施形態のコミュニケーション方法では、第２端末１２が識別情報（第１識別情報）を受信した場合に、識別情報により特定される第１ユーザに関連付けられる提示情報（例えばプロフィール情報）を提示する。第２端末１２が識別情報を受信しない場合には、識別情報により特定される第１ユーザに関連付けられる提示情報は提示しない。これにより、第２ユーザＨ２は、対象空間ＳＰ１にて相対する第１ユーザＨ１に関連付けられる提示情報を把握でき、提示情報を知った上で第１ユーザＨ１と話しをすることで、より深く第１ユーザＨ１のことを知ることが可能になる。さらに言えば、本実施形態のコミュニケーション方法では、第２端末１２が識別情報（第１識別情報）を受信した場合に、識別情報により特定される第１ユーザＨ１と、第２端末１２を有する第２ユーザＨ２とにそれぞれ関連付けられる提示情報を提示する。これにより、第１ユーザＨ１及び第２ユーザＨ２は、対象空間ＳＰ１にて相対する相手に関連付けられる提示情報を把握でき、提示情報を知った上で相対する相手と話しをすることで、より深く第１ユーザＨ２のことを知ることが可能になる。
【００８１】
また、処理部２１は、報知部２６から報知音を出力させて、表示部２４に提示情報が表示されたことを、第１ユーザＨ１及び第２ユーザＨ２に報知する。図５は提示情報としてプロフィール情報を表示する画面Ｇ１の一例である。表示端末２０には、第１ユーザＨ１のプロフィール情報と第２ユーザＨ２のプロフィール情報とが左右に並べて表示される。ここで、情報提示システム３０は、情報提示システム３０が蓄積しているプロフィール情報の全項目を画面Ｇ１に表示しなくてもよく、例えばパーティに参加している第１ユーザＨ１及び第２ユーザＨ２が知りたい事柄に合わせて提示する項目を選択してもよい。例えば、特定の趣味を有するユーザを集めたパーティでは、プロフィール情報のうち趣味に関連する項目を画面Ｇ１に表示させてもよい。このように、表示端末２０は、表示部２４の画面上にプロフィール情報（提示情報）を表示する画面Ｇ１を表示させており、表示端末２０が置かれたテーブルＴＢ１にいる第１ユーザＨ１及び第２ユーザＨ２に提示情報としてプロフィール情報を提示することができる。ここで、このような会合において第１部の時間は短い。すなわち、ユーザＨ１及び第２ユーザＨ２は単なる自己紹介で時間を費やしたくない。そこで、本システムではユーザＨ１及び第２ユーザＨ２が接触することによって、素早く表示部２４の画面上にお互いのプロフィール情報を表示させることができる。したがって、第１ユーザＨ１及び第２ユーザＨ２は、表示端末２０に表示された画面Ｇ１を見ることで、相手のプロフィールを質問しなくても、相手の基本的なデータを知ることができる。これにより、お互いを知らなかった第１ユーザＨ１及び第２ユーザＨ２は、表示端末２０に表示された提示情報を確認することで、相手のプロフィール情報を短時間に効率よく確認できる。また、プロフィール情報は、例えば年収又は家族構成のように、初対面では聞きにくい項目についての情報を含んでいるので、第１ユーザＨ１及び第２ユーザＨ２は、より深く相手のプロフィール情報を把握できる。よって、複数のユーザ、すなわち相対している第１ユーザＨ１と第２ユーザＨ２の間の相互理解を深めることが可能なコミュニケーション方法及び通信システム１を提供できる。なお、表示端末２０の表示部２４が、プロフィール情報を表示するための画面Ｇ１の全体を表示できない場合、表示端末２０を使用する第１ユーザＨ１又は第２ユーザＨ２が表示部２４の画面をスワイプする等の操作を行うことで、画面Ｇ１をスクロールさせればよい。
【００８２】
ここで、情報提示システム３０の相性判定部３１４は、処理Ｓ７で検索された第１ユーザ情報と第２ユーザ情報とに基づいて、対象空間ＳＰ１にて対向する第１ユーザＨ１と第２ユーザＨ２との相性を評価する相性値を求める。換言すれば、相性判定部３１４は、第１端末１１と第２端末１２との間の通信が行われると、第１ユーザと第２ユーザとの相性を判定する。相性判定部３１４は、第１端末１１と第２端末１２との間の通信が行われない限り、第１ユーザと第２ユーザとの相性を判定しない。相性判定部３１４が、対象空間ＳＰ１にて対向する第１ユーザＨ１と第２ユーザＨ２との相性を評価する相性判定処理について詳しくは「（２．４）相性判定処理」の欄で説明する。相性判定部３１４は、第１ユーザ情報及び第２ユーザ情報にそれぞれ含まれるプロフィール情報をもとに、両者の相関が高いほど、相性が良いと評価するように相性値を求めている。そして、提示部３１２は、表示端末２０に提示情報を提示させる場合に、相性判定部３１４が相性を判定した結果に基づいて、提示情報を提示する態様を変化させている。例えば、提示部３１２は、プロフィール情報を表示するコンテンツにおいて、プロフィール情報を表示する画面Ｇ１の背景に例えばハートマークＭ１を表示させているが、第１ユーザＨ１と第２ユーザＨ２との相性が良いほどハートマークＭ１が大きくなるように、表示態様を変更する。これにより、第１ユーザＨ１及び第２ユーザＨ２は、プロフィール情報を表示するための画面Ｇ１に表示されたハートマークＭ１の大きさをもとに、お互いの相性が良いことを確認できる。なお、相性の判定結果に応じて提示情報を提示する態様を変化させることは、画面Ｇ１に表示させるマークの大きさを変化させることに限定されず、画面Ｇ１に表示させるマーク（例えばハートマーク）の数を変化させたり、色又は明るさを変化させたりしてもよい。
【００８３】
なお、プロフィール情報の表示用の画面Ｇ１において、提示部３１２は、第１ユーザＨ１と第２ユーザＨ２とで相関が高い項目の情報を強調表示するようにコンテンツを作成してもよい。提示部３１２は、例えば、プロフィール情報に関する複数の項目のそれぞれについて第１ユーザＨ１の情報と第２ユーザＨ２の情報との相関係数を求め、相関係数が所定の閾値よりも高い項目については強調表示を行うように画面データを作成してもよい。ここで、提示部３１２は、例えば文字の色、大きさ、及び書体のうちの少なくとも１つを変更することで、強調表示を行えばよい。
【００８４】
その後、第１ユーザＨ１と第２ユーザＨ２とが同席して会話を始めてから所定の対話時間が経過すると、男性の参加者である第１ユーザＨ１は、別の第２ユーザＨ２と会話を行うために、別のテーブルＴＢ１に移動する。そして、別のテーブルＴＢ１に移動した第１ユーザＨ１が、移動先のテーブルＴＢ１にいる第２ユーザＨ２と握手すると、第１ユーザＨ１の第１端末１１と第２ユーザＨ２の第２端末１２との間で人体通信が行われる（Ｓ３：Ｙｅｓ）。これにより、第１端末１１の第１識別情報が第２端末１２に送信され、第２端末１２が、第１識別情報と第２識別情報とを表示端末２０を介して情報提示システム３０に送信する。このとき、第１識別情報と第２識別情報との組み合わせは１回目であり、第１ユーザＨ１と第２ユーザＨ２とは初顔合わせであるので、情報提示システム３０は、上述のように対向している第１ユーザＨ１と第２ユーザＨ２とのプロフィール情報を表示端末２０に提示させる。これにより、第１ユーザＨ１と第２ユーザＨ２とは、表示端末２０に表示されたお互いのプロフィール情報を見ながら会話を行うことができる。
【００８５】
一方、処理Ｓ６の判定で、第１識別情報Ｄ１と第２識別情報Ｄ２との組み合わせが１回目ではない、つまりパーティの第２部で第１ユーザＨ１と第２ユーザＨ２とが再び会った場合（Ｓ６：Ｎｏ）、提示部３１２は、両者への質問を表示端末２０に提示させる。すなわち、提示部３１２は、記憶部３４に蓄積されたユーザ情報から、第１識別情報Ｄ１に関連付けられた第１ユーザ情報と、第２識別情報Ｄ２に関連付けられた第２ユーザ情報とを検索し、第１ユーザ情報及び第２ユーザ情報に含まれる質問情報を取得する。本実施形態のコミュニケーション方法では、情報提示システム３０の記憶部３４に、ユーザに対する複数の質問が予め登録されている。第１ユーザ情報及び第２ユーザ情報に含まれる質問情報は、予め登録された複数の質問のうち自分が相手に聞きたい質問に関する情報、又は自分が相手に聞きたい分野に関する情報を含む。提示部３１２は、第１ユーザ情報及び第２ユーザ情報に含まれる質問情報を取得すると、この質問情報に基づいて、複数の質問の中から表示端末２０に提示させる質問を選択し（Ｓ９）、選択した質問を表示するためのコンテンツ（表示画面）を作成する。提示部３１２は、作成したコンテンツの画面データを通信部３２を介して表示端末２０に出力する。つまり、情報提示システム３０がユーザに提示する提示情報は、第１ユーザＨ１及び第２ユーザＨ２への質問を含む。本実施形態のコミュニケーション方法では、第１ユーザＨ１及び第２ユーザＨ２が本当は聞きたいが、初対面で聞きにくいような質問でも、情報提示システム３０が第１ユーザＨ１及び第２ユーザＨ２に対して提示するので、より深いコミュニケーションを実現できる。なお、質問は、第１ユーザＨ１及び第２ユーザＨ２の両方への質問に限定されず、第１ユーザＨ１及び第２ユーザＨ２のいずれか一方への質問でもよい。換言すれば、提示情報は、第１ユーザＨ１と第２ユーザＨ２との少なくとも一方への質問を含んでいればよく、提示された質問について第１ユーザＨ１及び第２ユーザＨ２がお互いの考えを話すことで、第１ユーザＨ１と第２ユーザＨ２とのコミュニケーションを深めることができる。
【００８６】
表示端末２０では、第２通信Ｉ／Ｆ２３が情報提示システム３０からコンテンツの画面データを受信すると、処理部２１が、コンテンツの画面データに基づいて表示部２４にコンテンツの画面を表示（提示）させる（Ｓ１０）。また、処理部２１は、報知部２６から報知音を出力させて、表示部２４に質問が表示されたことを、第１ユーザＨ１及び第２ユーザＨ２に報知する。図６は、ユーザ（第１ユーザＨ１及び第２ユーザＨ２）への質問を表示する画面Ｇ２の一例である。図６の画面Ｇ２では、「休みの日は何をしていますか？」という質問が表示されるので、第１ユーザＨ１と第２ユーザＨ２とは表示端末２０に表示された質問についてお互いの考えを話すことで、第１ユーザＨ１及び第２ユーザＨ２は、それぞれが聞きたい質問について相手の考えをより深く知ることができる。
【００８７】
また、第１ユーザＨ１及び第２ユーザＨ２が、別の質問について話しをしたい場合、このコミュニケーション方法を適用するパーティでは、第１ユーザＨ１と第２ユーザＨ２とがハイタッチをするようにルールが決められている。第１ユーザＨ１と第２ユーザＨ２とがハイタッチをすると、第１ユーザＨ１と第２ユーザＨ２とが直接的に接触するため、第１端末１１と第２端末１２との通信が開始する（Ｓ３：Ｙｅｓ）。第１端末１１と第２端末１２との通信が開始すると、まずは第１端末１１から第２端末１２に第１識別情報Ｄ１が送信される、送信処理が行われる（Ｓ４）。
【００８８】
第１端末１１から第１識別情報Ｄ１を受信した第２端末１２は、表示端末２０を経由して、情報提示システム３０に、第１識別情報Ｄ１と、自身に割り当てられた第２識別情報Ｄ２とを含む要求信号を送信する（Ｓ５）。これにより、表示端末２０から情報提示システム３０には、少なくとも第１識別情報Ｄ１と第２識別情報Ｄ２が送信される。情報提示システム３０では、通信部３２が表示端末２０から第１識別情報Ｄ１と第２識別情報Ｄ２とを含む要求信号を受信すると、取得部３１１が第１識別情報Ｄ１及び第２識別情報Ｄ２を取得する。そして、提示部３１２が、取得部３１１が取得した第１識別情報Ｄ１及び第２識別情報Ｄ２の組み合わせが１回目か否か、つまり相対している第１ユーザＨ１と第２ユーザＨ２とが初顔合わせか否かを判断する（Ｓ６）。
【００８９】
ここでは、取得部３１１が取得した第１識別情報Ｄ１及び第２識別情報Ｄ２の組み合わせが２回目以上であるので（Ｓ６：Ｎｏ）、提示部３１２は、両者への質問を提示情報として表示端末２０に提示させる。提示部３１２は、記憶部３４に蓄積されたユーザ情報から、第１識別情報Ｄ１に関連付けられた第１ユーザ情報と、第２識別情報Ｄ２に関連付けられた第２ユーザ情報とを検索し、第１ユーザ情報及び第２ユーザ情報に含まれる質問情報を取得する。提示部３１２は、第１ユーザ情報及び第２ユーザ情報に含まれる質問情報を取得すると、この質問情報に基づいて、複数の質問の中から表示端末２０に提示させる質問を選択する。ここで、提示部３１２は、予め用意された複数の質問のうち、第１ユーザＨ１及び第２ユーザＨ２のペアには出していない質問の中から、表示端末２０に提示させる質問を選択する。図７は、ユーザ（第１ユーザＨ１及び第２ユーザＨ２）への質問を表示する画面Ｇ３の一例である。図７の画面Ｇ３では、「都会と田舎どっちが好きですか？」という質問が表示される。このように、提示部３１２は、第１ユーザＨ１及び第２ユーザＨ２のペアに、それまでに出していない質問の中から、表示端末２０に提示する質問を選択して提示しているので、同じ質問が繰り返し提示される可能性を低減できる。そして、第１ユーザＨ１と第２ユーザＨ２とは表示端末２０に表示された新たな質問についてお互いの考えを話すことで、第１ユーザＨ１及び第２ユーザＨ２は、それぞれが聞きたい質問について相手の考えをより深く知ることができる。
【００９０】
また、本実施形態のコミュニケーション方法では、対象空間ＳＰ１にて対向する第１ユーザＨ１及び第２ユーザＨ２は、ハイタッチをすることで次の質問を表示端末２０に表示させており、ハイタッチを何度も行うことで親密度が増し（ザイアンスの単純接触効果）、会話が弾むという効果もある。
【００９１】
第１ユーザＨ１及び第２ユーザＨ２は、このパーティで知り合ったばかりで、お互いに聞きにくいこともあるが、本実施形態のコミュニケーション方法では、第１ユーザＨ１及び第２ユーザＨ２が相手に聞きたい質問を表示端末２０に表示（提示）させているので、短時間であってもより深いレベルまで相手のことを知ることができる。したがって、第１ユーザＨ１及び第２ユーザＨ２は、相手の価値観、人生観等を確認した上で結婚相手又は交際相手を見つけることができ、自分に合った結婚相手又は交際相手と出会える確率が向上する。また、第１ユーザＨ１及び第２ユーザＨ２は、短い時間でも相手の価値観、人生観等を確認できるので、本実施形態のコミュニケーション方法が適用されるパーティへの満足度が向上する。また参加者、パーティへの参加希望者の増加を期待できるので、参加者が多くなり、かつそれらの参加者と深く会話できるので、カップルになれる可能性が高くなることを期待できるという効果がある。また、主催者は参加者のパーティへの満足度が向上することで、パーティへの参加希望者の増加を期待できるので、その収益も大きくなる。また、カップル成果率が高くなれば、パーティの参加費用の値上げも可能になる。
【００９２】
また、本実施形態のコミュニケーション方法では、第１ユーザＨ１と第２ユーザＨ２とが直接的に接触した状態で行われる人体通信により、第１端末１１及び第２端末１２のうちの一方から他方に送信される情報に基づいて、提示する提示情報の内容を変更する。すなわち、人体通信により、第１端末１１及び第２端末１２のうちの一方から他方に送信される情報に基づいて、提示されるプロフィール情報及び質問情報の内容が変更されるので、相対している第１ユーザＨ１と第２ユーザＨ２とに応じた提示情報を提示できる。
【００９３】
また、本実施形態において、第１ユーザＨ１と第２ユーザＨ２とが直接的に接触した状態で行われる人体通信により、第１端末１１及び第２端末１２のうちの一方から他方に送信される信号の信号強度に基づいて、提示情報を提示する態様を変更してもよい。例えば、第１ユーザＨ１と第２ユーザＨ２との親密度が高まるほど、握手、ハイタッチ又はハグ等の身体の一部を接触させる動作を行う場合に接触の度合いが大きくなる傾向があり、人体通信により送信される信号の信号強度が大きくなる。ここにおいて、情報提示システム３０の提示部３１２は、人体通信により送信される信号の信号強度が大きくなるにつれて、プロフィール情報を表示する画面Ｇ１の背景に表示されるハートマークＭ１を大きくするように、表示態様を変更する。これにより、第１ユーザＨ１及び第２ユーザＨ２は、プロフィール情報を表示するための画面Ｇ１に表示されたハートマークＭ１の大きさをもとに、お互いの相性が良いことを確認できる。なお、相性の判定結果に応じて提示情報を提示する態様を変化させることは、画面Ｇ１に表示させるマークの大きさを変化させることに限定されず、画面Ｇ１に表示させるマーク（例えばハートマーク）の数を変化させたり、色又は明るさを変化させたりしてもよい。また、情報提示システム３０の提示部３１２は、提示情報を表示するその他の画面においても、人体通信により送信される信号の信号強度に基づいて、提示情報を提示する態様を変更してもよい。
【００９４】
なお、図４に示すフローチャートは、本実施形態に係るコミュニケーション方法の一例に過ぎず、処理の順序が適宜変更されてもよいし、処理が適宜追加又は省略されてもよい。
【００９５】
（２．４）相性判定処理
次に、相性判定処理に関し、より詳細に説明する。
【００９６】
上述したように、本実施形態では、第１端末１１と第２端末１２との通信が行われると、第１ユーザＨ１と第２ユーザＨ２との相性を、例えば、情報提示システム３０の相性判定部３１４が判定している。相性は、例えば、百分率等の数値（相性値）で表され、相性が良い程に相性値が大きくなる。具体的には、相性判定部３１４は、第１識別情報Ｄ１に対応付けられた第１ユーザ情報と、第２識別情報Ｄ２に対応付けられた第２ユーザ情報とに基づいて、第１ユーザＨ１と第２ユーザＨ２との相性を判定する。一例として、相性判定部３１４は、第１ユーザ情報に含まれる第１ユーザの得意なこと又は趣味と、第２ユーザ情報に含まれる第２ユーザの得意なこと又は趣味とが共通していれば、相性値を加点するように相性値を判定する。また、相性判定部３１４は、第１ユーザ情報に含まれる第１ユーザの得意なこと又は趣味と、第２ユーザ情報に含まれる第２ユーザの得意なこと又は趣味との共通性が低い場合、相性度を減点するように相性値を判定してもよい。
【００９７】
また、第１端末１１と第２端末１２との通信状態が、相性に反映されてもよい。すなわち、本実施形態のように、第１端末１１と第２端末１２との通信に人体通信を採用している場合に、通信媒体である人体（第１ユーザＨ１及び第２ユーザＨ２）のインピーダンスによって、第１端末１１と第２端末１２との通信状態が変化する。そこで、例えば、通信状態が良好である程に相性値が高くなるように、相性が判定されてもよい。
【００９８】
（３）変形例
上記の実施形態は、本開示の様々な実施形態の一つに過ぎない。実施形態は、本開示の目的を達成できれば、設計等に応じて種々の変更が可能である。また、コミュニケーション方法と同様の機能は、（コンピュータ）プログラム、又はプログラムを記録した非一時的記録媒体等で具現化されてもよい。一態様に係るプログラムは、上記コミュニケーション方法を、コンピュータシステムに実行させるためのプログラムである。
【００９９】
以下、上記の実施形態の変形例を列挙する。以下に説明する変形例は、適宜組み合わせて適用可能である。なお、上記の実施形態を以下では「基本例」と呼ぶ場合もある。
【０１００】
（３．１）変形例１
変形例１の通信システム１では、送信処理において第１端末１１から第２端末１２に送信される識別情報は、第１端末１１に固有の第１識別情報Ｄ１以外の第１ＩＤ情報を含む。第１ＩＤ情報は、一例として、第１ユーザＨ１に関する第１ユーザ情報を登録する際に、第１ユーザ情報に対応付けて発行されるユーザＩＤ（ｉｄｅｎｔｉｆｉｃａｔｉｏｎ）である。
【０１０１】
また、第２端末１２から表示端末２０を介して情報提示システム３０に送信される識別情報は、第２端末１２に固有の第２識別情報Ｄ２以外の第２ＩＤ情報を含む。第２ＩＤ情報は、一例として、第２ユーザＨ２に関する第２ユーザ情報を登録する際に、第２ユーザ情報に対応付けて発行されるユーザＩＤ（ｉｄｅｎｔｉｆｉｃａｔｉｏｎ）である。
【０１０２】
変形例１では、登録部３１３により第１ユーザ情報が登録されると、第１ユーザ情報に対応付けられた第１ＩＤ情報が情報提示システム３０にて発行され、登録部３１３により第２ユーザ情報が登録されると、第２ユーザ情報に対応付けられた第２ＩＤ情報が情報提示システム３０にて発行される。
【０１０３】
そして、第１ユーザＨ１は、当該第１ユーザＨ１が有する第１端末１１に、自身の第１ＩＤ情報を入力して保持させる。ここで、第１ユーザＨ１によって第１端末１１に登録された第１ＩＤ情報が識別情報として第２端末１２に送信される場合、同じ端末を複数の第１ユーザＨ１が使用する場合でも、個々の第１ユーザＨ１ごとに提示情報を提示することができる。また、第１端末１１に設定された第１識別情報ではなく、第１ユーザＨ１の第１ＩＤ情報を識別情報として第２端末１２に送信するので、他者が第１ユーザＨ１になりすます可能性を低減できる。
【０１０４】
同様に、第２ユーザＨ２は、当該第２ユーザＨ２が有する第２端末１２に、自身の第２ＩＤ情報を入力して保持させる。第２ユーザＨ２によって第２端末１２に登録された第２ＩＤ情報が識別情報として表示端末２０経由で情報提示システム３０に送信されるので、同じ端末を複数の第２ユーザＨ２で使用する場合でも、個々の第２ユーザＨ２ごとに提示情報を提示することができる。また、第２端末１２に設定された第２識別情報ではなく、第２ユーザＨ２の第２ＩＤ情報を識別情報として表示端末２０経由で情報提示システム３０に送信するので、他者が第２ユーザＨ２になりすます可能性を低減できる。
【０１０５】
（３．２）その他の変形例
本開示における通信システム１は、例えば、処理部３１等に、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における通信システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Ｖｅｒｙ  Ｌａｒｇｅ  Ｓｃａｌｅ  Ｉｎｔｅｇｒａｔｉｏｎ）、又はＵＬＳＩ（Ｕｌｔｒａ  Ｌａｒｇｅ  Ｓｃａｌｅ  Ｉｎｔｅｇｒａｔｉｏｎ）と呼ばれる集積回路を含む。さらに、ＬＳＩの製造後にプログラムされる、ＦＰＧＡ（Ｆｉｅｌｄ−Ｐｒｏｇｒａｍｍａｂｌｅ  Ｇａｔｅ  Ａｒｒａｙ）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１０６】
また、情報提示システム３０又は通信システム１における複数の機能が、１つの筐体内に集約されていることは情報提示システム３０又は通信システム１に必須の構成ではない。情報提示システム３０又は通信システム１の構成要素は、複数の筐体に分散して設けられていてもよい。さらに、情報提示システム３０又は通信システム１の少なくとも一部の機能は、例えば、サーバ装置及びクラウド（クラウドコンピューティング）等によって実現されてもよい。反対に、基本例において、複数の装置に分散されている情報提示システム３０又は通信システム１の少なくとも一部の機能が、１つの筐体内に集約されていてもよい。例えば、情報提示システム３０は、基本例では１つのサーバ装置にて実現されているが、複数のサーバ装置にて実現されてもよいし、クラウド（クラウドコンピューティング）にて実現されてもよい。
【０１０７】
基本例では、表示端末２０が、第１ユーザＨ１と第２ユーザＨ２とで共用されるタブレット端末であったが、表示端末２０は、第１ユーザＨ１及び第２ユーザＨ２のそれぞれが有する携帯情報端末でもよい。この種の携帯情報端末は、第１ユーザＨ１及び第２ユーザＨ２のそれぞれが所持するスマートフォン又はタブレット端末でもよいし、第１ユーザＨ１及び第２ユーザＨ２のそれぞれが身につけるウェアラブル端末でもよい。この場合、情報提示システム３０は、第１ユーザＨ１及び第２ユーザＨ２のそれぞれが有する携帯情報端末に対して提示情報を出力すればよい。
【０１０８】
また、第１端末１１と第２端末１２との間の通信に関しては、第２ユーザＨ２と第１ユーザＨ１とが直接的に接触した状態で行われることは必須でなく、例えば、対象空間ＳＰ１に存在する床、壁又はテーブル等の物体を通信媒体に含んでもよい。さらに、第１端末１１と第２端末１２との間の通信方式は、電界方式の人体通信に限らず、例えば、人体が電極に直接的に触れることによって人体に微弱電流を流し、その電流に変調をかけて情報を伝達する、電流方式の人体通信であってもよい。あるいは、第１端末１１と第２端末１２との間の通信方式は、対象空間ＳＰ１内の電波を通信媒体として用いた無線通信（近距離無線通信等）、又は有線通信等であってもよい。つまり、第１端末１１と第２端末１２との間で、対象空間ＳＰ１内の通信媒体を用いて通信を行っていればよく、その通信方式は特定の方式に限定されない。なお、第１端末１１と第２端末１２との間の通信方式が人体通信以外の通信方式である場合でも、第１ユーザＨ１と第２ユーザＨ２との身体の接触を電極間のインピーダンス等から検出し、第１ユーザＨ１と第２ユーザＨ２との身体の接触があると第１ユーザＨ１と第２ユーザＨ２とが通信を開始することが好ましい。これにより、第１ユーザＨ１と第２ユーザＨ２との身体の接触があると表示端末２０に提示情報が提示されるから、第１ユーザＨ１と第２ユーザＨ２とがスキンシップをとることでお互いの親近感が増し、より深いレベルでコミュニケーションを図ることができる。
【０１０９】
また、第１端末１１と第２端末１２とが双方向に通信可能であることは必須ではなく、少なくとも第１端末１１から第２端末１２に情報を送信可能であればよい。
【０１１０】
また、第１端末１１及び第２端末１２の各々は、第１ユーザＨ１又は第２ユーザＨ２に有されていればよく、第１ユーザＨ１又は第２ユーザＨ２の腕に装着される態様に限らず、例えば、ネックレス型又はグラス型等であってもよい。さらに、第１端末１１及び第２端末１２の各々は、ウェアラブル端末に限らず、例えば、第１ユーザＨ１又は第２ユーザＨ２が有する携帯情報端末（スマートフォン又はタブレット端末等）であってもよい。
【０１１１】
また、基本例では２人のユーザ（第１ユーザＨ１及び第２ユーザＨ２）が対象空間ＳＰ１にて対向している状況を例に説明したが、基本例のコミュニケーション方法は、３人以上のユーザが対象空間ＳＰ１にて対向している状況に適用されてもよい。この場合、３人以上のユーザのうちの１人が有する端末が第２端末となり、残りのユーザが有する１以上の端末が第１端末となる。第２端末は、１以上の第１端末のいずれかとの間で人体通信方式で通信を行うことによって識別情報を受信すると、受信した識別情報と、第２端末の識別情報とを表示端末２０を介して情報提示システム３０に送信し、情報提示システム３０は、第２端末から受信した識別情報に基づいて、対象空間ＳＰ１にて対向している３人以上のユーザに関連付けられる提示情報を表示端末２０に提示（表示）させる。これにより、対象空間ＳＰ１にて対向している３人以上のユーザは、表示端末２０に提示（表示）された提示情報を見ながら会話をすることができ、より深いコミュニケーションが可能になる、という利点がある。
【０１１２】
また、基本例では、提示情報の提示が、表示端末２０の表示部２４への表示により実現されているが、提示情報の提示は、表示に限らず、例えば音声若しくは光（光の色等）、又はこれらの組み合わせで実現されてもよい。提示情報の提示が音声で行われる場合、第１ユーザＨ１及び第２ユーザＨ２が装着しているイヤホンにて、提示情報を表す音声が出力されてもよい。
【０１１３】
また、基本例において、情報提示システム３０の提示部３１２は、提示情報として、第１ユーザＨ１と第２ユーザＨ２とが一緒に利用可能な施設と、第１ユーザＨ１と第２ユーザＨ２とが一緒に参加可能なイベントとの少なくとも一方に関する情報を提示してもよい。
【０１１４】
すなわち、提示情報３１２は、第１ユーザＨ１に関連する第１ユーザ情報と、第２ユーザＨ２に関する第２ユーザ情報とに基づいて、第１ユーザＨ１及び第２ユーザＨ２の両方が興味がある施設（レストラン、ショッピングモール、遊園地、水族館等）又はイベント（野球、サッカー、バレー等のスポーツイベント）を選択し、表示端末２０に表示させる。これにより、第１ユーザＨ１及び第２ユーザＨ２が、パーティの終了後も一緒に行動する可能性が高くなり、交際が発展する可能性が高くなる。また、パーティが終了した後に、第１ユーザＨ１及び第２ユーザＨ２を、提携する施設又はイベント会場に誘導することができ、提携する施設又はイベント会場での集客にも寄与できるという利点がある。
【０１１５】
なお、提示情報３１２は、利用可能な施設及び参加可能なイベントの少なくとも一方に関する情報でもよい。また、利用可能な施設及び参加可能なイベントの少なくとも一方に関する情報が、第１ユーザＨ１と第２ユーザＨ２との両方に関連する情報であることは必須ではなく、第１ユーザＨ１と第２ユーザＨ２との少なくとも一方に関連する情報であればよい。
【０１１６】
上記のコミュニケーション方法では、第１ユーザＨ１が男性で、第２ユーザＨ２が女性であるが、男女の性別は逆でもよい。例えば、第１ユーザＨ１が女性で、第２ユーザＨ２が男性でもよく、この場合は女性の第１ユーザＨ１が第１端末１１を所持し、男性の第２ユーザＨ２が第２端末１２を所持することになる。
【０１１７】
（まとめ）
第１の態様に係るコミュニケーション方法は、お互いを知らなかった第１ユーザ（Ｈ１）と第２ユーザ（Ｈ２）との間のコミュニケーションに用いられるコミュニケーション方法である。このコミュニケーション方法は、第１ユーザ（Ｈ１）と第２ユーザ（Ｈ２）とが対象空間（ＳＰ１）にて相対する状況において、第１端末（１１）と第２端末（１２）との間で、対象空間（ＳＰ１）内の通信媒体を用いて通信を行うことにより、少なくとも第１端末（１１）から第２端末（１２）に向けて識別情報を送信する。第１端末（１１）は、第１ユーザ（Ｈ１）が有する端末である。第２端末（１２）は、第２ユーザ（Ｈ２）が有する端末である。
【０１１８】
この態様によれば、第２端末（１２）は、第１端末（１１）から送信された識別情報に基づいて、第１端末（１１）を有する第１ユーザ（Ｈ１）の識別情報を取得することができる。このような状況下において初めてやり取りが可能になる識別情報、及び、これ（識別情報）に関連する情報は、第１ユーザ（Ｈ１）を知らなかった第２ユーザ（Ｈ２）にとっては単なる情報以上の高い価値を有することになる。したがって、本実施形態によれば、それまでお互いを知らなかった第１ユーザ（Ｈ１）と第２ユーザ（Ｈ２）との間での相互理解を深めることが可能なコミュニケーション方法を提供できる。
【０１１９】
第２の態様に係るコミュニケーション方法では、第１の態様において、第１端末（１１）と第２端末（１２）との間で人体通信を行うことにより、識別情報を送信する。
【０１２０】
この態様によれば、第１ユーザ（Ｈ１）と第２ユーザ（Ｈ２）とが単に近くに居るというだけでは、第１端末（１１）と第２端末（１２）との通信は行われないため、識別情報、及び識別情報に関連する情報の価値が向上する。
【０１２１】
第３の態様に係るコミュニケーション方法では、第２の態様において、人体通信は、第１ユーザ（Ｈ１）と第２ユーザ（Ｈ２）とが直接的に接触した状態で行われる。
【０１２２】
この態様によれば、第１端末（１１）と第２端末（１２）との通信は、第１ユーザ（Ｈ１）と第２ユーザ（Ｈ２）とが直接的に接触したことの記録となり、識別情報、及び識別情報に関連する情報の価値が向上する。
【０１２３】
第４の態様に係るコミュニケーション方法では、第１〜第３のいずれかの態様において、第２端末（１２）が識別情報を受信した場合に、識別情報により特定される第１ユーザ（Ｈ１）に関連付けられる提示情報を提示する。
【０１２４】
この態様によれば、対象空間（ＳＰ１）にて対向している第１ユーザ（Ｈ１）と第２ユーザ（Ｈ２）とに、第１ユーザ（Ｈ１）に対応付けられる提示情報を提示することができる。
【０１２５】
第５の態様に係るコミュニケーション方法では、第１〜第３のいずれかの態様において、第２端末（１２）が識別情報を受信した場合に、識別情報により特定される第１ユーザ（Ｈ１）と、第２端末（１２）を有する第２ユーザ（Ｈ２）とにそれぞれ関連付けられる提示情報を提示する。
【０１２６】
この態様によれば、対象空間（ＳＰ１）にて対向している第１ユーザ（Ｈ１）と第２ユーザ（Ｈ２）とに、第１ユーザ（Ｈ１）と第２ユーザ（Ｈ２）とにそれぞれ関連付けられる提示情報を提示することができる。
【０１２７】
第６の態様に係るコミュニケーション方法では、第４又は第５の態様において、提示情報は、第１ユーザ（Ｈ１）と第２ユーザ（Ｈ２）との少なくとも一方への質問を含む。
【０１２８】
この態様によれば、対象空間（ＳＰ１）にて対向している第１ユーザ（Ｈ１）と第２ユーザ（Ｈ２）とは、提示された質問について話しをすることでコミュニケーションを深めることができる。
【０１２９】
第７の態様に係るコミュニケーション方法では、第４〜第６のいずれかの態様において、人体通信により、第１端末（１１）及び第２端末（１２）のうちの一方から他方に送信される情報に基づいて、提示する提示情報の内容を変更する。人体通信は、第１ユーザ（Ｈ１）と第２ユーザ（Ｈ２）とが直接的に接触した状態で行われる。
【０１３０】
この態様によれば、第１ユーザ（Ｈ１）と第２ユーザ（Ｈ２）とが直接的に接触した状態で行われる人体通信によって送信される情報により提示情報の内容を変更することができる。
【０１３１】
第８の態様に係るコミュニケーション方法では、第４〜第７のいずれかの態様において、人体通信により、第１端末（１１）及び第２端末（１２）のうちの一方から他方に送信される信号の信号強度に基づいて、提示情報を提示する態様を変更する。人体通信は、第１ユーザ（Ｈ１）と第２ユーザ（Ｈ２）とが直接的に接触した状態で行われる。
【０１３２】
この態様によれば、第１ユーザ（Ｈ１）と第２ユーザ（Ｈ２）とが直接的に接触した状態で行われる人体通信によって送信される信号の信号強度に基づいて提示情報の内容を変更することができる。
【０１３３】
第９の態様に係るコミュニケーション方法では、第４〜第８のいずれかの態様において、第１端末（１１）と第２端末（１２）との間の通信が行われると、第１ユーザ（Ｈ１）と第２ユーザ（Ｈ２）との相性を判定する。
【０１３４】
この態様によれば、第１ユーザ（Ｈ１）と第２ユーザ（Ｈ２）との相性が判定されるため、対象空間（ＳＰ１）にて相対する第１ユーザ（Ｈ１）と第２ユーザ（Ｈ２）との間での相互理解を深めることが可能なコミュニケーション方法を提供できる。
【０１３５】
第１０の態様に係るコミュニケーション方法では、第９の態様において、第１ユーザ（Ｈ１）と第２ユーザ（Ｈ２）との相性を判定した結果に基づいて、提示情報を提示する態様を変更する。
【０１３６】
この態様によれば、提示情報が提示される態様に基づいて、第１ユーザ（Ｈ１）と第２ユーザ（Ｈ２）とはお互いの相性を確認できる。
【０１３７】
第１１の態様に係るコミュニケーション方法では、第１〜第１０のいずれかの態様において、第１ユーザ（Ｈ１）と第２ユーザ（Ｈ２）とが一緒に利用可能な施設と、第１ユーザ（Ｈ１）と第２ユーザ（Ｈ２）とが一緒に参加可能なイベントとの少なくとも一方に関する情報を提示する。
【０１３８】
この態様によれば、第１ユーザ（Ｈ１）と第２ユーザ（Ｈ２）とは、提示された情報に基づいて、一緒に利用可能な施設又は一緒に参加可能なイベントを確認することができる。
【０１３９】
第１２の態様に係るコミュニケーション方法では、第１１の態様において、利用可能な施設及び参加可能なイベントの少なくとも一方に関する情報は、第１ユーザ（Ｈ１）及び第２ユーザ（Ｈ２）の少なくとも一方に関する提示情報に関連付けられる情報である。
【０１４０】
この態様によれば、第１ユーザ（Ｈ１）と第２ユーザ（Ｈ２）とは、提示された情報に基づいて、一緒に利用可能な施設又は一緒に参加可能なイベントを確認することができる。
【０１４１】
第１３の態様に係るコミュニケーション方法では、第１〜第１２のいずれかの態様において、第１ユーザ（Ｈ１）による第１端末情報の入力を受け付けると、第１端末情報に基づいて第１ユーザ（Ｈ１）と第１端末（１１）との対応付けを行う。このコミュニケーション方法では、第２ユーザ（Ｈ２）による第２端末情報の入力を受け付けると、第２端末情報に基づいて第２ユーザ（Ｈ２）と第２端末（１２）との対応付けを行う。第１端末情報は、第１端末（１１）を識別するための情報であり、第２端末情報は、第２端末（１２）を識別するための情報である。
【０１４２】
この態様によれば、第１端末情報に基づいて第１ユーザ（Ｈ１）と第１端末（１１）との対応付けを行うことができ、第２端末情報に基づいて第２ユーザ（Ｈ２）と第２端末（１２）との対応付けを行うことができる。
【０１４３】
第１４の態様に係るプログラムは、第１〜第１３のいずれかの態様に係るコミュニケーション方法をコンピュータシステムに実行させるためのプログラムである。
【０１４４】
この態様によれば、第２端末（１２）は、第１端末（１１）から送信された識別情報に基づいて、第１端末（１１）を有する第１ユーザ（Ｈ１）の識別情報を取得することができる。このような状況下において初めてやり取りが可能になる識別情報、及び、これ（識別情報）に関連する情報は、第１ユーザ（Ｈ１）を知らなかった第２ユーザ（Ｈ２）にとっては単なる情報以上の高い価値を有することになる。したがって、本実施形態によれば、それまでお互いを知らなかった第１ユーザ（Ｈ１）と第２ユーザ（Ｈ２）との間での相互理解を深めることが可能なコミュニケーション方法をコンピュータシステムに実行させるためのプログラムを提供できる。
【０１４５】
第１５の態様に係る通信システム（１）は、お互いを知らなかった第１ユーザ（Ｈ１）と第２ユーザ（Ｈ２）とが対象空間（ＳＰ１）にて相対する状況で使用される通信システム（１）である。通信システム（１）は、第１ユーザ（Ｈ１）が有する第１端末（１１）と、第２ユーザ（Ｈ２）が有する第２端末（１２）と、を備える。第１端末（１１）と第２端末（１２）との間で対象空間（ＳＰ１）内の通信媒体を用いて通信を行うことにより、少なくとも第１端末（１１）から第２端末（１２）に向けて第１端末（１１）を有する第１ユーザ（Ｈ１）を識別するための識別情報を送信する。
【０１４６】
この態様によれば、第２端末（１２）は、第１端末（１１）から送信された識別情報に基づいて、第１端末（１１）を有する第１ユーザ（Ｈ１）の識別情報を取得することができる。このような状況下において初めてやり取りが可能になる識別情報、及び、これ（識別情報）に関連する情報は、第１ユーザ（Ｈ１）を知らなかった第２ユーザ（Ｈ２）にとっては単なる情報以上の高い価値を有することになる。したがって、本実施形態によれば、それまでお互いを知らなかった第１ユーザ（Ｈ１）と第２ユーザ（Ｈ２）との間での相互理解を深めることが可能な通信システム（１）を提供できる。
【０１４７】
第１６の態様に係るコミュニケーション方法では、第４〜第１０のいずれかの態様において、提示情報は、第１ユーザ（Ｈ１）に関連付けられるプロフィール情報と、第２ユーザ（Ｈ２）に関連付けられるプロフィール情報を含む。このコミュニケーション方法では、第１ユーザ（Ｈ１）に関連付けられるプロフィール情報と、第２ユーザ（Ｈ２）に関連付けられるプロフィール情報とを表示部に並べて表示する。
【０１４８】
第１７の態様に係るコミュニケーション方法によれば、第４〜第１０及び第１５のいずれかの態様において、提示情報を提示したことを報知する報知音を出力する。
【０１４９】
上記態様に限らず、上記の実施形態に係るコミュニケーション方法の種々の構成（変形例を含む）は、通信システム（１）、（コンピュータ）プログラム、又はプログラムを記録した非一時的記録媒体等で具現化可能である。また、第２〜第１３、及び第１６〜第１７の態様に係る構成については、コミュニケーション方法に必須の構成ではなく、適宜省略可能である。
【符号の説明】
【０１５０】
１    通信システム
１１    第１端末
１２    第２端末
Ｈ１    第１ユーザ
Ｈ２    第２ユーザ
ＳＰ１    対象空間
【図１】
2020162038.tif 000003
【図２】
2020162038.tif 000004
【図３】
2020162038.tif 000005
【図４】
2020162038.tif 000006
【図５】
2020162038.tif 000007
【図６】
2020162038.tif 000008
【図７】
2020162038.tif 000009
【国際調査報告】
2020162038.tif 000010
2020162038.tif 000011
2020162038.tif 000012
2020162038.tif 000013